(57)【要約】【課題】  画像が転写紙の中心に転写されていない不完全な出力を回避することができる画像形成装置を提供する。【解決手段】  原稿読み取り手段３が原稿画像を読み取る際、原稿のサイズと原稿が原稿読み取り手段３の中心にセットされたか否かを検知する原稿中心検知手段１２と、この原稿中心検知手段１２で検知された原稿サイズと転写紙搬送手段５から供給される定型サイズの転写紙のサイズを比較し、原稿が中心にセットされていないと判断した場合にその後の処理を中断するシステム制御手段１７とを備えるようにした。【選択図】        図１
2007235277.tif 000002
【特許請求の範囲】
【請求項１】
原稿を読み取る原稿読み取り手段と、該原稿読み取り手段が原稿画像を読み取る際に原稿サイズ及び前記原稿読み取り手段の中心に原稿がセットされたか否かを検知する原稿中心検知手段と、定型サイズの転写紙を搬送する転写紙搬送手段と、前記原稿中心検知手段で検知された原稿サイズと前記転写紙搬送手段から供給される定型サイズの転写紙のサイズを比較し、前記原稿が中心にセットされていないと判断した場合に、その後の処理を中断するように制御する制御手段と、を備えたことを特徴とする画像形成装置。
【請求項２】
前記制御手段は、前記原稿の中心位置と読み取り中心位置が合致しない場合に読み取り可能な最大幅で読み取った画像データを作像手段に供給することを特徴とする請求項１記載の画像形成装置。
【請求項３】
前記制御手段は、前記原稿の中心位置と読み取り中心位置が合致しない場合に、読み取り中心位置から原稿の中心位置までのずれを補正して読み取った画像データを作像手段に供給することを特徴とする請求項１記載の画像形成装置。
【請求項４】
外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成不可である旨の入力を受け付けた場合に、その後の処理を中断することを特徴とする請求項１記載の画像形成装置。
【請求項５】
外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成可である旨の入力を受け付けた場合に、読み取り可能な最大幅で画像データを作像手段に供給することを特徴とする請求項１記載の画像形成装置。
【請求項６】
外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成可である旨の入力を受け付けた場合に、読み取り中心位置から原稿の中心位置までのずれを補正して画像データを作像手段に供給することを特徴とする請求項１記載の画像形成装置。
【発明の詳細な説明】
【技術分野】
【０００１】
本発明は、複写機、プリンタ、ファクシミリ装置、あるいはこれらの機能を併せ持つ複合機などの画像形成装置に関する。
【背景技術】
【０００２】
従来の画像形成装置では、原稿読み取り位置にセットされた原稿の左右どちらか一方に配置されるセンサによって、原稿幅を検知し、検知した幅分の画像データを作像手段に供給している。
特許文献１には原稿サイズ検知手段が特殊原稿サイズを誤検知した場合にも、正しく情報処理を行うことが可能な情報処理装置に関する技術が開示されている。また特許文献２には原稿の大きさが定型サイズの記録紙と合致しない場合、原稿画像のサイズよりも大きくかつ最も近似サイズの定型サイズ記録紙を自動的に判定し、記録する画像形成装置に関する技術が開示されている。また特許文献３には原稿サイズの誤検知を防止できる自動原稿送り装置および原稿サイズ検知装置に関する技術が開示されている。
【特許文献１】特開２００４−１９４２５４公報
【特許文献２】特開２００４−６８９２０公報
【特許文献３】特開平９−２９７４３４号公報
【発明の開示】
【発明が解決しようとする課題】
【０００３】
上述したように、従来の画像形成装置では、原稿読み取り位置にセットされた原稿の左右どちらか一方に配置されるセンサによって、原稿幅を検知し、検知した幅分の画像データを作像手段に供給していたため、原稿の中心位置と読み取り中心位置が合致しない場合に、画像が転写紙の中心に転写されずに出力されることがあった。
本発明は、画像が転写紙の中心に転写されていない不完全な出力を回避することができる画像形成装置を提供することを目的とする。
【課題を解決するための手段】
【０００４】
上記目的を達成するために、請求項１記載の発明は、原稿を読み取る原稿読み取り手段と、該原稿読み取り手段が原稿画像を読み取る際に原稿サイズ及び前記原稿読み取り手段の中心に原稿がセットされたか否かを検知する原稿中心検知手段と、定型サイズの転写紙を搬送する転写紙搬送手段と、前記原稿中心検知手段で検知された原稿サイズと前記転写紙搬送手段から供給される定型サイズの転写紙のサイズを比較し、前記原稿が中心にセットされていないと判断した場合に、その後の処理を中断するように制御する制御手段と、を備えた画像形成装置を特徴とする。
請求項２記載の発明は、前記制御手段は、前記原稿の中心位置と読み取り中心位置が合致しない場合に読み取り可能な最大幅で読み取った画像データを作像手段に供給する請求項１記載の画像形成装置を特徴とする。
請求項３記載の発明は、前記制御手段は、前記原稿の中心位置と読み取り中心位置が合致しない場合に、読み取り中心位置から原稿の中心位置までのずれを補正して読み取った画像データを作像手段に供給する請求項１記載の画像形成装置を特徴とする。
請求項４記載の発明は、外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成不可である旨の入力を受け付けた場合に、その後の処理を中断する請求項１記載の画像形成装置を特徴とする。
請求項５記載の発明は、外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成可である旨の入力を受け付けた場合に、読み取り可能な最大幅で画像データを作像手段に供給する請求項１記載の画像形成装置を特徴とする。
請求項６記載の発明は、外部に対して情報を提示すると共に、外部からの入力を受け付ける操作表示手段を備え、前記制御手段は、前記原稿の中心位置と読み取り中心位置が合致しない場合にその旨を前記操作表示手段により通知し、前記操作表示手段により画像形成可である旨の入力を受け付けた場合に、読み取り中心位置から原稿の中心位置までのずれを補正して画像データを作像手段に供給する請求項１記載の画像形成装置を特徴とする。
【発明の効果】
【０００５】
本発明の画像形成装置は、原稿を読み取る原稿読み取り手段と、原稿読み取り手段が原稿画像を読み取る際に原稿サイズ及び原稿読み取り手段の中心に原稿がセットされたか否かを検知する原稿中心検知手段と、定型サイズの転写紙を搬送する転写紙搬送手段と、原稿中心検知手段で検知された原稿サイズと転写紙搬送手段から供給される定型サイズの転写紙のサイズを比較し、原稿が中心にセットされていないと判断した場合に、その後の処理を中断するように制御する制御手段と、を備えたので、画像が転写紙の中心に転写されていない不完全な出力を回避することができる。
【発明を実施するための最良の形態】
【０００６】
以下、本発明の実施形態を図面に従って説明する。
図１は本発明の実施形態に係る画像形成装置の機能ブロック図である。図１において、操作表示部１は、外部の操作者が画像形成装置の持つ機能を設定するためのユーザーインターフェイス部である。原稿搬送部２は原稿を原稿読み取り部３へ搬送し、読み取り終えた原稿を排出する。
原稿読み取り部３は原稿を露光し、原稿に印刷されている内容を読み取り、画像の濃淡と画像位置の情報をデジタル信号に変換する。原稿画像記憶部４は原稿読み取り部３で変換されたデジタル信号を記憶する。転写紙搬送部５は転写紙を給紙トレイ、手差しトレイから給紙し、定着し終えた転写紙を排出する。
画像処理部６は原稿読み取り部３から送られてくるデジタル信号に各種画像処理を行う。作像部７は画像処理部６で処理された画像を感光体ドラム上にトナー画像として形成し、このトナー画像を転写紙に転写する。転写紙選択部８は複数ある転写紙の中から転写する転写紙を選択する。
定着部９は転写紙に乗ったトナーを高い温度と圧力で転写紙に圧着させる。原稿幅検知部１０は原稿の幅を検知する。転写紙幅検知部１１は転写紙の幅を検知する。原稿中心検知部１２は原稿が原稿読み取り部３の中心（中央）にセットされたか否かを検知する。原稿レジスト検知部１３は原稿の読み取り開始と終了のトリガとなる。
転写紙長検知部１４は転写紙の長さを検知する。ロール紙カット部１５は転写紙としてロール紙が選択された場合に、適切な長さでロール紙を切断する。変倍率設定部１６は原稿の主走査幅と転写紙の主走査幅を比較して変倍率を決定する。上記各部ハシステム制御部（制御手段）１７に接続されている。
【０００７】
図２は図１に示す画像形成装置における第１の制御例を示すフローチャートである。原稿が挿入されると（２−１）、原稿幅と同時に原稿中心検知部１２である左右のサイズセンサで中心検知（２−２）を行う。中心検知の詳細は図４を用いて後ほど説明する。サイズセンサの検知により原稿が左右対称であると検知した場合はサイズセンサで検知した幅で画像を読み込み（２−９）、通常の動作を行う。一方、サイズセンサにより原稿が中心にセットされていないと検知した場合、即ち非対称である検知した場合は、設定に従ってその後の処理を決定する。中断処理が設定されていた場合は（２−３）、操作者に原稿が中心にセットされていなかったことを通知し、原稿の再セットを指示し（２−４）、原稿の再セットに備える。
読み取り幅最大切り替えが設定されていた場合は（２−５）、原稿を読み取り可能な最大幅で読み込み（２−６）、通常の動作を行う。補正が設定されていた場合（２−７）は、読み取り位置をずらして読み込み（２−８）、通常の動作を行う。
なお、補正方法の詳細については図４、図５を用いて後ほど説明する。上記各設定がされていなかった場合は、サイズセンサで検知した幅で画像を読み込み（２−９）、通常の動作を行う。
【０００８】
図３は図１に示す画像形成装置における第２の制御例を示すフローチャートである。原稿が挿入されると（３−１）、原稿幅と同時に原稿中心検知部１２である左右のサイズセンサで中心検知（３−２）を行う。中心検知の詳細は図４を用いて後ほど説明する。左右対称であった場合は、サイズセンサで検知した幅で画像を読み込み（３−９）、通常の動作を行う。非対称即ち原稿が中心にセットされていないと検知した場合は、操作者の選択した処理（３−３）に応じて、その後の処理を決定する。
中断処理が選択された場合（３−４）は、処理を中断し、原稿の再セットに備える。読み取り幅最大切り替えが選択された場合（３−５）は、原稿を読み取り可能な最大幅で読み込み（３−６）、通常の動作を行う。補正が選択された場合（３−７）は、読み取り位置をずらして読み込み（３−８）、通常の動作を行う。補正方法の詳細については図４、図５を用いて後ほど説明する。上記選択以外の継続処理が選択された場合は、サイズセンサで検知した幅で画像を読み込み（３−９）、通常の動作を行う。
図４は図１に示す原稿中心検知部を構成するサイズセンサの配置図である。図４の通り、左右対称にサイズセンサを配置する。サイズセンサをこのように配置することで、夫々のサイズセンサが左右対称にＯＮまたはＯＦＦされていない場合は、読み取り中心位置から原稿の端部までの長さが左右で異なっている。即ち、原稿が中心にセットされていない、または異型原稿であると判断することができる。
【０００９】
図５は図４に示すサイズセンサの検知状態によって原稿サイズとずれ量を判断するための図表である。
左右のサイズセンサが２つ以上異なることは極稀であり、この場合は原稿を中心にセットできていないと判断するより、異型原稿が挿入されたと判断することが自然であるため、左右のサイズセンサが２つ以上異なった場合はすべて、異型原稿であると判断するようにしている。ただし、この設定も操作者が任意に設定変更できるものとする。
次に、左右のサイズセンサの違いが１つ以下だった場合について説明する。左右のサイズセンサが全て左右対称にＯＮまたはＯＦＦされていた場合は、検知されたサイズ幅の原稿が正常に中心にセットされたと判断することができる。
さらに、左右のサイズセンサの違いが１つだった場合の例として以下の２つのケースについて説明する。
ここで、第１の例として右側のサイズセンサが７２８：Ｂ１横幅のサイズセンサまでをＯＮして、左側のサイズセンサが５９４：Ａ１横幅のサイズセンサまでをＯＮしている場合について考える。この検知状態での原稿の最大幅を考えると、原稿の左右の端部は左７２８センサより中心寄りであり、且つ、右８４１センサより中心寄りである時である。また原稿の最小幅を考えると、原稿の左右の端部は左５９４センサ上にあり、かつ右７２８センサ上にある時である。
以上のことから考えられる原稿サイズは６６１ｍｍ以上７８４ｍｍ未満である。即ち原稿幅は７２８ｍｍであることがわかる（ただし、挿入される原稿は定型サイズとする）。
【００１０】
次に、ずれ幅について考えると左側のサイズセンサが左５９４センサまでしかＯＮしていないことから、右にずれて挿入されたことがわかる。さらに左側のセンサ状態から、左７２８センサと左５９４センサの差分である６７ｍｍ未満のずれが生じたこと、また、右側のセンサ状態から、右８４１センサと右７２８センサの差分である５６ｍｍ未満のずれが生じたことがわかる。以上のことから最大ずれ幅は右に５６ｍｍ未満であることが決定する。
次に第２の例として、右側のサイズセンサが３６４：Ｂ３横幅のサイズセンサまでをＯＮして、左側のサイズセンサが４２０：Ａ２横幅のサイズセンサまでをＯＮしている場合について考える。この検知状態での原稿の最大幅を考えると、原稿の左右の端部は左５１５センサより中心寄りであり、かつ右４２０センサより中心寄りである。また原稿の最小幅を考えると、原稿の左右の端部は左４２０センサ上にあり、且つ、右３６４センサ上にある。以上のことから考えられる原稿サイズは３９２ｍｍ以上４６７ｍｍ未満である。即ち原稿幅は４２０ｍｍであることがわかる（ただし、挿入される原稿は定型サイズとする）。
【００１１】
次にずれ幅について考えると、左側のサイズセンサが左４２０センサまでしかＯＮしていないことから、左にずれて挿入されたことがわかる。さらに左側のセンサ状態から、左５１５センサと左４２０センサの差分である４７ｍｍ未満のずれが生じたこと、また、右側のセンサ状態から、右４２０センサと右３６４センサの差分である２８ｍｍ未満のずれが生じたことがわかる。以上のことから最大ずれ幅は左に２８ｍｍ未満であることが決定する。
第１の例または第２の例と同様に、左右のサイズセンサの違いが１つだった場合について考えると、図５のように示される。最大ずれ幅はサイズセンサの結果から想定できる最大ずれ幅のため、読み取り中心位置または読み取り開始位置に対して、最大ずれ幅の半分程度の幅（補正幅）をずらして画像を読み込むことで、欠けていた端部の画像を画像データとして記憶することが可能になる。これを補正動作とする。また、補正幅は最大ずれ幅の半分とは限らず、操作者が任意に設定できるものとする。
【００１２】
本発明の画像形成装置では、原稿の中心位置と読み取り中心位置が合致しない場合に処理を中断するため、画像が転写紙の中心に転写されていない不完全な出力を無くすことができる。
また、挿入された原稿が異型原稿と判断された場合に、自動的に画像を最大幅で読み取る設定に変更されるため、操作者が、原稿挿入前に原稿を最大幅で読み取る設定をする必要が無くなる。
また、原稿の中心位置と読み取り中心位置のずれが発生じた場合に、原稿の中心位置と読み取り中心位置のずれを補正して画像データを読み込むことで、画像が転写紙欠けしてしまう不完全な出力を減少させることができる。
また、原稿が読み取りの中心に挿入されなかった場合に、その旨を操作者に通知し、今後の処理を選択させることで、画像が転写紙の中心に転写されていない不完全な出力を行わないようにすることができると共に、操作者の意図に応じた出力を行うことができる。
また、挿入された原稿が異型原稿と判断された場合に、その旨を操作者に通知し、原稿挿入後であっても画像を最大幅で読み取る設定に変更することが可能になるため、操作者の設定忘れによるミスコピーを減少させることができる。
また、原稿の中心位置と読み取り中心位置にずれが生じた場合に、その旨を操作者に通知し、今後の処理を選択させることで、画像が転写紙欠けしてしまう不完全な出力を減少させると共に、操作者の意図に応じた出力を行うことができる。
【図面の簡単な説明】
【００１３】
【図１】本発明の実施形態に係る画像形成装置の機能ブロック図。
【図２】本実施形態の画像形成装置における第１の制御例を示すフローチャート。
【図３】本実施形態の画像形成装置における第２の制御例を示すフローチャート。
【図４】本実施形態の原稿中心検知部を構成するサイズセンサの配置図。
【図５】図４に示すサイズセンサの検知状態によって原稿サイズとずれ量を判断するための図。
【符号の説明】
【００１４】
１  操作表示部（操作表示手段）、３  原稿読み取り部（原稿読み取り手段）、５  転写紙搬送部（転写紙搬送手段）、７  作像部（作像手段）、１２  原稿中心検知部（原稿中心検知手段）、１７  システム制御部（システム制御手段）
【図１】
2007235277.tif 000003
【図２】
2007235277.tif 000004
【図３】
2007235277.tif 000005
【図４】
2007235277.tif 000006
【図５】
2007235277.tif 000007